(57)【特許請求の範囲】
【請求項１】
四つの面からなる正四角柱体の角部をそれぞれ縦方向に削ぎ落した形にて、削ぎ落し壁面以外の周壁のそれぞれに窓を穿設し、残りの削ぎ落し壁面を前記周壁より小領域の突き合せ壁に形成した変形八角柱の筒状中込ブロックをして、平面状に位置する隣接中込ブロック同士の関係にて、各ブロックの突き合せ壁同士を当接せしめることにより、各中込ブロックの周囲に大形空隙部を形成してなる地下貯水槽のブロック組立構造。
【請求項２】
請求項１に記載した中込ブロックの組立構造群を、中込ブロックの軸芯を一致せしめて積み重ね、中込ブロック群の周囲に縦方向に伸びる大形空隙部を、また中込ブロック内に連通空間部を形成してなる地下貯水槽のブロック組立構造。
【請求項３】
四つの面からなる正四角柱体の直交する二面を遮蔽外壁とし、この遮蔽外壁による角部と向かい合う角部を縦方向に削ぎ落して内向き角壁とした形にて、内向き角壁に窓を穿設し、該内向き角壁に隣接する残りの二面を面接壁とした変形五角柱の筒状隅角ブロックと、四つの面からなる正四角柱体の一面を遮蔽外壁とし、この遮蔽外壁に直交する二つの面接壁の内側角部を縦方向に削ぎ落した形にて、削ぎ落し壁面にそれぞれ窓を穿設して内向き斜辺壁とし、この両斜辺壁間にて突き合せ壁を形成した変形六角柱の筒状外周ブロックをして、前記隅角ブロックの二面の遮蔽外壁を外側に向けて隅部にそれぞれ配置し、該隅角ブロック間に前記外周ブロック群の遮蔽外壁を外側に向けて、両ブロックの面接壁同士を当接せしめて組立てなる囲枠内に、請求項１のブロック組立構造体を、中込ブロック群と外周ブロック群にそれぞれ設けた突き合せ壁同士を当接せしめて装填装置して、中込ブロック群間および中込ブロックと囲枠体を構成したブロック間に整然とした大形空隙部を形成してなる地下貯水槽のブロック組立構造。
【請求項４】
請求項３の地下貯水槽のブロック組立構造にあって、これと同一構造体を四隅部に配した隅角ブロック群の各軸芯を一致せしめて積み重ね、隅角ブロックと外周ブロックとの遮蔽外壁にて、貯水槽の外周全面を形成し、両ブロックによる囲枠の大きさの変更により、槽の占有面積を変化可能に、またその積み重ね量により、深度を変化可能にした基本構造を備えた地下貯水槽のブロック組立構造。
【請求項５】
請求項４の地下貯水槽のブロック組立構造にあって、同槽の一隅部寄りの内部に位置する中込ブロックに代えて、隅角ブロック、外周ブロックを積み重ねて配し、両ブロックの遮蔽外壁をもって大型の調整室内に、独立した沈砂室を形成し、前記両室間には流水口を設けてなる多室構造を備えた地下貯水槽のブロック組立構造。
【請求項６】
請求項５の調整室の一部に沈砂室を形成してなる地下貯水槽のブロック組立構造にあって、さらに中込ブロックに代えて、それぞれに遮蔽外壁を有する隅角ブロックおよびその間の外周ブロック群を積み重ね状に配して、目的のそれぞれ異なる沈砂室、利水室および調整室を区画形成し、前記各室間には流水口を設けてなる多室構造を備えた地下貯水槽のブロック組立構造。
【請求項７】
請求項６の多室構造の地下貯水槽のブロック組立構造にあって、上段に位置するブロック構造体を請求項３に記載した単層構造体からなる調整室となし、調整室の広域化を図ってなる多室構造を備えた地下貯水槽のブロック組立構造。
【請求項８】
請求項５の槽の一隅部に沈砂室を設けてなる地下貯水槽のブロック組立構造にあって、残る室を中込ブロックにて埋め込んでなる貯水槽にあって、一列状に積み重ねてなる中込ブロックの一群を外周ブロック群にて置き換えることにより、外周ブロックの遮蔽外壁部にて遮壁を形成し、この一列状に並べた外周ブロックを槽内に入れ子状に配し、貯水槽内に蛇行流路を形成してなる地下貯水槽のブロック組立構造。
【請求項９】
請求項８の地下貯水槽のブロック組立構造にあって、蛇行流路の一部に、少なくとも一個所の透水性浄化材層を介在せしめてなる地下貯水槽のブロック組立構造。
【請求項１０】
隅角ブロックおよび外周ブロックにて形成した囲枠体に設けた貯水槽の貯水導水口、排水口および各室間にて開口する流水口は多窓を設けた中込ブロックを配することにより、それぞれ形成されている請求項４，５，６，７，８および９のうちいずれか１項に記載の地下貯水槽のブロック組立構造。
【請求項１１】
中込、隅角および外周の各ブロックの天板部にはそれぞれ吊下げ環が植設され、該吊下げ環の直下位置にて、各ブロックの底板部には、内部に透孔付き連結用プレートを固着した切欠き貫穴が開口し、上下および左右に位置して組立てられた都合四個のブロックの接合面にて、下位に位置する二個のブロックの吊下げ環を、上位に位置する二個のブロックの切欠き貫穴内に位置せしめ、連通状にある貫穴内にて、一対のプレートおよびその間に位置する一対の吊下げ環を全挿通する連結用長ボルトの締着にて都合四個のブロックを定着せしめてなる請求項２，４，５，６，７，８，９および１０に記載のうちいずれか１項に記載の地下貯水槽のブロック組立構造。
【請求項１２】
中込、隅角および外周の各ブロック群の出発点となる角部をそれぞれ縦方向に削ぎ落し、各種壁体を形成する以前の正四角柱体は、同形、同大の単一部材にて構成されて、各ブロックはその配設位置にて互換性を有している請求項３，４，５，６，７，８，９，１０および１１のうちいずれか１項に記載の地下貯水槽のブロック組立構造。
【請求項１３】
中込, 外周両ブロックの両突き合せ壁、隅角, 外周両ブロックの両面接壁、中込ブロックの周壁と隅角ブロックの内向き角壁および外周ブロックの内向き斜辺壁はそれぞれ同形, 同大に形成されている請求項３, ４, ５, ６, ７, ８, ９, １０, １１および１２のうちいずれか１項に記載の地下貯水槽のブロック組立構造。
【発明の詳細な説明】
【０００１】
【発明の属する技術分野】
本発明は地下貯水槽、特に雨水を地上に溢れさせないよう効率よく導いて貯留させるための地下貯水槽、該貯水槽を構成するブロックの組立構造に関する。
【０００２】
【従来の技術】
土地の有効利用から空き地としての公園、運動場、駐車場あるいは工場の敷地などの地下に貯水槽を設けて、急激な豪雨などによって地上に溢れ流れる雨水を効果的に導いて一時的に貯留させることが提案され、特にこの度の神戸地域を中心とした地震発生時に起こった火災に対して、水不足に原因する効果的な消火活動ができなかったことを教訓として、不測の災害時に備えての地下貯水槽の設置の重要性が再確認されている。
【０００３】
地下貯水量の拡大を積極的に求めた地下貯水槽の中込み部材が種々提案され、例えば、特開２００１−２２０７７９号公報に記載されたとおり、コンクリート製ブロックを縦横方向に展開、積重し、この種のブロック状中込み部材にあっては、貯水量の増大を期待し得る空隙部が多量に確保されること、さらに貯水槽の上方より作用する大きい負荷に対して、貯水槽の全体的補強効果が期待でき、中込み部材の積み重ね組立て作業が容易なことが望まれている。
【０００４】
【発明が解決しようとする課題】
ブロック状中込み部材として、例えば特開２００１−２２０７７９号公報に示す空間支持体は軸方向中心部分を中空部に形成した正六角柱体からなり、この単位部材群が縦横方向に密に並べられている。
確かに、正多角柱体からなるブロック群を平面的に縦横方向に密に展開し、さらに垂直方向、即ち高さ（深さ）方向に積み重ねて拡大せしめることにより、貯水槽自体は強度の面からは十分満足しうるも、貯水量の面では十分満足できず、また多量の部材を必要とする面からコスト高ともなる。
また従来の中込み部材としてブロック材を使用した場合、貯水槽の外枠として大規模な別個構築物が当然必要となることは常識的なものとして受け入れられていた。
【０００５】
本発明はコンクリート製中込ブロックの平面状での縦横方向への開拡的組立にあって、ブロック群の側壁面同士の広域に亘る当接組立てを意図的にさけて、組立てられた各ブロックの周囲に大規模な空隙部を形成して、これにより貯水量の増大、またこの貯水槽の外周壁を形成する囲枠自体をも中込ブロックに形状的に近似したブロック群を採用して、これに当て、各ブロック群の周囲の空隙部の確保、さらに各ブロック内をも積極的貯水空間として利用し、さらに加えて貯水槽各構成ブロック材の自在な互換性の確保により、貯水槽自体の使用目的に沿っての多面的な多室区画形成、あるいは流路形成を可能として、貯水槽にて多用されていたブロック材中心の変化に富んだ多面的な有効利用により画期的地下貯水槽を提供することを目的とする。
【０００６】
【課題を解決するための手段】
本発明は上記目的を達成するために、つぎのような構成を採用している。
本発明に係る地下貯水槽のブロック組立構造は三種類の筒状ブロックにて構成されている。即ち貯水槽の隅部に配される隅角ブロック群、一対の隅角ブロックを繋ぐ形にて配される外周ブロック群、これら両ブロックにて貯水槽の囲枠が形成される。かく形成された囲枠内は、全面に中込ブロック群にて埋め込まれる。
【０００７】
これら三種類のブロックに共通していることは、同形、同大の正四角柱体をその出発点とし、各ブロックは正四角柱体の角部分を縦方向に、各ブロック毎に削ぎ落し場所を変更せしめてなる、それぞれ特異な多角変形柱体を呈している。
【０００８】
具体的に中込ブロックは各四つの角部を削ぎ落してなる変形八角柱体を呈し、隅角ブロックは外側に面し直交する二面を遮蔽外壁となし、内側に位置する一つの角部を削ぎ落してなる変形五角柱体を、また外周ブロックは外側に面する一面を遮蔽外壁として、内側に位置する二つの角部を削ぎ落してなる変形六角柱体をもって構成され、正四角柱体を共通の出発点とすることにより、組立時三種類のブロックは、各ブロック間にて、その当接領域に差はあるも、密なる組立構造を維持し、これら三種類のブロックは互いにその配設場所を変更する折にも貯水槽の全体形状を常時強固に維持しうる互換性を有している。
【０００９】
筒状中込ブロックは正四角柱体の四つの角部を縦方向に削ぎ落してなる削ぎ落し面間に四面の周壁を形成し、これら周壁にはそれぞれ窓が開口している。そして四面の周壁間の削ぎ落とされた形の四つの面にて、前記周壁より小領域の突き合せ壁が形成されていることが一つの特徴である。換言すれば、全体としてこの中込ブロックは四つの角部に突き合せ壁が形成されていると表現することもできる。
この中込ブロック群を平面状に配し、隣接する中込ブロックの幅狭の突き合せ壁同士を当接せしめることにより、各中込ブロックの周囲に周壁の幅広に相当する間隔を有する方形の大形空隙部を派生せしめ、また筒状の中込ブロック体内の空間部にてもブロック周囲の空隙部と共に十分の貯水効果を発揮する。
【００１０】
また平面状に延拡した中込ブロック群をして上下方向に配すべく、各ブロックの軸芯を一致せしめて積み重ねることにより、ブロック周囲の縦方向に伸長する空隙部および中込ブロックの連通する筒状部の空間部にて、この発明の主目的の一つたる貯水量の拡大は一段と促進される。
【００１１】
貯水槽の囲枠のコーナー部を担当する部材たる隅角ブロックは、直交する二面の遮蔽外壁の交差部と対称位置する内側の角部を縦方向に削ぎ落した形にて形成された内向き角壁を設けることにより、前記中込ブロックとの組立時、該内向き角壁の存在により、大形の空隙部の一部分を形成する一翼を担当せしめている。また貯水槽のコーナー部に位置する一対の隅角ブロック間に位置し、囲枠の一部を形成する外周ブロックは、外側に位置する一面の遮蔽外壁、該外壁に対応する内側に位置する一壁部の両側の角部を削ぎ落した形により、該壁の中央一部にて突き合せ壁を形成し、該突き合せ壁の両側には一対の内向き斜辺壁が相対的に残され、該内向き斜辺壁は貯水のために有効に働く空隙部の一部を形成する一助となっている。
【００１２】
貯水槽の各コーナー部に配される隅角ブロック、この隅角ブロック間に位置する外周ブロック群の、両ブロックのそれぞれの面接壁同士の当接によるこれら両ブロックの連接状の組立てにより、隅角および外周の両ブロックにて貯水槽の囲枠を形成し、該囲枠内に前記中込ブロック群が、その突き合せ壁同士を当接せしめて埋め込まれ、中込ブロック間同士、中込ブロックと囲枠を構成するブロック間にも大規模な整然とした空隙部を形成した貯水槽の単層が形成される。
【００１３】
この単層構造体は、各コーナー部に配された隅角ブロックの軸芯を一致せしめて積み重ねることにより、貯水槽の外周壁面は、隅角および外周両ブロックのそれぞれの遮蔽外壁部分をもって構成され、特別に個別部材を用いることなく貯水槽の外周壁が形成され、この基本となる単層構造体の積み重ね量および単層構造体の面積の選択により、貯水量を比較的自由に変更めしめうる調整室主体の基本構造の貯水槽が形成される。
【００１４】
以上の基本構造からなる調整室を中心とする貯水槽を出発点として、同槽を発展せしめて、同槽を構成する三種類のブロック群の互換性を利用することにより、即ち同槽中の中込ブロック群を隅角ブロックおよび外周ブロックと適宜その配設場所を置き換えることにより、基本貯水槽の主体となる調整室の一隅に、貯水中に含まれる泥砂などを沈下捕促し、泥砂類の貯水槽全体への拡散を防止するための沈砂室を、さらにこの沈砂室に隣接する形にて、調整室の一部を区画する利水室を形成し、貯水槽を沈砂室、利水室、調整室とそれぞれ使用目的を異にする多くの室を隅角ブロックおよび外周ブロックの一部を形成する遮蔽外壁を利用して各室の外周壁とする多室貯水槽を形成することも可能となる。
【００１５】
またそれぞれ目的の異なる室を、下段、中段層を構成する単層構造体にて形成してのち、上段のみの構造を、中込ブロック群中心の単層構造体をもってする調整室とすることにより、調整室の拡張を実現することができ、目的の異なる室を貯水槽内の変化に富んだ区画形成により実現することができる。
【００１６】
前記多室構造からなる貯水槽にかえて、貯水槽の一隅部に設けた沈砂室とその他の中込ブロックにて埋め込まれた大形室の、一列状に積み重ねた中込ブロック群を、外周ブロック群に置き換え、さらにこの外周ブロック列群を入れ子状に配して、外周ブロックの遮蔽外壁にて区画域を形成することにより、貯水槽内に蛇行流路を形成し、貯水槽内に流入した貯水を長距離に亘って流下せしめ、これにて泥砂類の沈降を助長し、貯水の浄化を一段と助長せしめることができ、必要とあればこの蛇行流路中に透水性浄化材、例えば活性炭層を介在せしめて貯水の浄化の促進を図ることもできる。
【００１７】
また貯水槽への貯水の導水口および排水口、さらには各室間の流水口部として、多窓を設けた中込ブロックを該口部毎に外周ブロックに代えて配することにより、十分所期の目的を達することができ、これらはいずれも各ブロックの互換性に負うところであり、かつこれによる貯水槽の脆弱化発生の危惧もない。
【００１８】
前記三種類のブロックの天板部には、それぞれ吊下げ環が植設され、重量の大きいブロック群の懸吊り設置に有効利用できる。さらに、この後この吊下げ環は上下、左右方向に積み重ね設置されたブロック群の固定着にも積極的に再活用することができる。即ち各ブロックにはその底板部にかけて、前記吊下げ環の直下部に位置して切り欠き貫穴が開口し、該貫穴内には連結用プレートが配置され、ブロックの上下の積み重ねおよび左右に隣接して組立てられたブロック群の連結にあって、上位のブロックの貫穴内に下位のブロックの吊下げ環を位置せしめた上下一対のブロックと、また同構成からなる隣接する上下一対のブロックとにより組立てられたブロック群は、連通する貫穴内にて一対のプレートと、その間にある一対の吊下げ環の都合四部材間に連結用長ボルトを挿通締着し、ブロック群の位置関係を保っての固着を実現する。そしてこの固定着構造は貯水槽を構成する全ブロック間に実行される。
【００１９】
また前記三種類のブロックは、同形、同大の正四角柱体を出発の拠点として、各ブロック毎に、柱体の角部を場所を変えて縦方向に削ぎ落した形からなる全体として変形多角柱を形成しているので、各ブロックは、その配置場所を変更できる。即ち互換性があるので、各ブロックの置き換えにより、貯水槽内部の区画変更などが大規模に、かつ自由にでき、貯水槽の多様化を容易に実現できる。
【００２０】
【発明の実施の形態】
つぎに本発明の実施の形態を図面を用いて説明する。
本発明に係る地下貯水槽の組立構造は、鉄筋入りコンクリート製の三種類のブロックにて構成されている。即ち、図３および図４に示す貯水槽の周壁を構成する囲枠の隅部に配される筒状隅角ブロック１１、図５および図６に示す各隅部に位置する筒状隅角ブロック１１，１１間を繋ぐ外周ブロック２１および図１および図２に示す、前記両ブロック１１，２１にて形成される囲枠の内部に埋め込まれる筒状中込ブロック１である。
【００２１】
これら三種類のブロックは、縦、横および高さの三辺それぞれに同長の同形、同大の正四角柱体を出発点となし、上記各ブロック毎に、その角部分を縦方向に削ぎ落し、その削ぎ落し場所を適宜変更してなる特殊形状を呈し、これら各ブロック１，１１，２１はいずれも天板部および底板部に開窓する筒状を呈している。
【００２２】
まず、図１および図２に示す筒状中込ブロック１は、四面の周壁３を有する正四角柱体の四つの角部分イ，イ，イ，イを縦方向に、二等辺三角柱を削ぎ落した形にて、これにより相対的にブロックの周壁３間に、周壁３より小さい領域を占める四面の突き合せ壁２が形成され、この各周壁３には、それぞれ窓４を開口する。これら四面ずつの突き合せ壁２および周壁３により、中込ブロック１の天板部５および底板部６には相対的に変形八角窓７が開口し、中込ブロックは全体として変形八角柱体を呈している。
【００２３】
つぎに図３および図４に示す筒状隅角ブロック１１は正四角柱体のうち、組立時内側に位置する一つの角部分ロを比較的大形の二等辺三角柱を縦方向に削ぎ落した形にて、該削ぎ落し部に窓１４付き内向き角壁１２を、またこの内向き角壁１２の両側に残され、後述する外周ブロック２１と接する面接壁１３，１３が形成される。さらに隅角ブロック１１の天板部１５および底板部１６には、それぞれ変形五角窓１７が開口している。また隅角ブロックの外側に位置する直交状にある二面の遮蔽外壁１８，１８は無窓状態に残され、隅角ブロックは全体として変形五角柱体を呈している。
【００２４】
また、残る図５および図６に示す筒状外周ブロック２１は、組立時、内側に位置する正四角柱の二つの角部分ハ、ハを縦方向に三角柱を削ぎ落した形にて、該削ぎ落し部に一対の内向き斜辺壁２２，２２を、さらに両内向き斜辺壁２２，２２間には、前記中込ブロック１の突き合せ壁２と当接対応する突き合せ壁２３が形成されている。
そして一対の内向き斜辺壁２２，２２が形成されることにより、相対的に残された二面部分には、前記隅角ブロック１１の面接壁１３あるいは隣接する外周ブロック２１と当接対応する面接壁２４，２４が形成され、これら一対の内向き斜辺壁２２，２２にはそれぞれ窓２５，２５が開口している。
そして、外周ブロック２１の天板部２６および底板部２７には、それぞれ変形六角窓２８が開口し、また外周ブロック２１の外側に一面の遮蔽外壁２９が残され、外周ブロック２１は全体として変形六角柱体を呈している。
【００２５】
以上三種類のブロックにあって、中込, 外周両ブロック１, ２１の両突き合せ壁２, ２３、隅角, 外周両ブロック１１, ２１の両面接壁１３, ２４、中込ブロック１の周壁３と隅角ブロック１１の内向き角壁１２および外周ブロック２１の内向き斜辺壁２２はそれぞれ同形, 同大に形成されている。
【００２６】
つぎに、これら三種類のブロック１，１１，２１群をもってする地下貯水槽の基本的単層の内部部分の組立て構造を図７を用いて説明する。
まず貯水槽の単層の内部部分を形成するために、平面開拡状に並べられる中込ブロック１群は、隣接する中込ブロック１の角部分に位置する各突き合せ壁２同士を当接せしめることにより、平面状に中込ブロック１の敷設面積は拡大し、各中込ブロック１の周囲には大形の空隙部ｅが相対的に形成される。
【００２７】
そして平面状に開拡する中込ブロック１群を、各中込ブロック１の軸芯を一致せしめて積み重ねることにより、中込ブロック１の周囲には縦方向に伸びる空隙部および筒状中込ブロックの中空部にても連通空間部ｆが相対的に形成され、この空隙域の拡大は延いては貯水量の増大と直接結び付き、さらに貯水と同時に中込ブロックの窓４群を介しての自由な貯水の流れが確保される。
【００２８】
つぎに所望の面積からなる貯水槽の図８をもって示す単層構造の構築時、貯水槽の四隅部には所定の間隔を保って、それぞれ隅角ブロック１１，１１が、該ブロック１１の二面の直交する遮蔽外壁１８部を所望の貯水槽の外側に向けて配設される。一対の隅角ブロック１１，１１間には複数の外周ブロック２１が、同ブロック２１の遮蔽外壁２９を外側に向けて、最端部に位置する外周ブロック２１の面接壁２４を隅角ブロック１１の面接壁１３と当接せしめ、ついで複数の隣接する外周ブロック２１の面接壁２４同士は当接する。
【００２９】
かくして、所定の面積をもって区画する隅角ブロック１１と外周ブロック２１にて囲枠が形成され、該囲枠内部には中込ブロック１同士は、その突き合せ壁２，２同士を当接せしめて嵌め込まれ、最外側に位置する中込ブロック１の一面あるいは二面の突き合せ壁２は外周ブロック２１の突き合せ壁２３とそれぞれ当接し、各中込ブロック１，１同士の周囲に形成されたと同様の空隙部ｅが、中込ブロック１と外周ブロック２１間に、また中込ブロック１、隅角ブロック１１および外周ブロック２１間にも大形規模の空隙部が形成される。そして各ブロック間にて形成される各空隙部と各ブロック内部とは各ブロックに開口する窓を介して連通し、貯水の自由な流出入及び貯水量の増大が確保される。
【００３０】
貯水槽設置を希望する広場に、図９に示すように所定の面積と深さを有してなる凹陥部を掘削形成し、該凹陥底部に貯水槽の導水口より排水口にかけて緩やかに下り勾配を呈する基礎底板３１を設置後、上記の構造からなる三種のブロック群を組立てなる単層構造の構造物を、例えば下段Ｘ、中段Ｙおよび上段Ｚの複数段に亘って、各同一種のブロックの軸芯を一致せしめて積み重ねていくことにより所望深さ、即ち貯水容量を次第に増加せしめ得る基本構造からなる地下貯水槽が形成され、同貯水槽の上面は上床板３３にて全面被われ、また下段層の下端周囲部分は後証版３５をもって固定支持されている（図８、図９参照）。
【００３１】
また本発明に係る貯水槽を構成する三種類のブロック１，１１，２１は、設置時、各プロックが占める空間（容積）は同一であるため、前記図８に示す基本的貯水槽を出発点として、各ブロックは自由自在にその配置場所を変更せしめることにより、図１０および図１１に一例を示すごとく、各室ごとに、例えば沈砂室Ａ、利水室Ｂ、調整室Ｃというように各々目的の異なる多室構造からなる地下貯水槽を自由に形成することができる。
【００３２】
図９にてその正面図を示すように、例えば前記基本貯水槽を下段Ｘ、中段Ｙおよび上段Ｚと都合三段重ねに構成した折には、貯水槽の底部に沈推積する泥砂群を貯水槽の局部的な一領域内に沈降せしめることにより、泥砂の除去作業の簡易化、延いては貯水槽の保守面での合理化を目的として、貯水槽内の一隅に図１０に示すように沈砂室Ａを設ける。しかも、この沈砂室Ａは前記三種類の互換性あるブロック群の特性を積極的に利用し、特別に他の構成部材を必要としない。
【００３３】
即ち、貯水槽の一隅部寄りの内部に形成される沈砂室Ａの各隅部を形成するために、中込ブロック１および外周ブロック２１に代わって、隅角ブロック１１が配され、沈砂室Ａを形成するために、四隅部に配されるこれら隅角ブロック１１，１１間には沈砂室Ａの遮蔽壁として働く遮蔽外壁２９を有する外周ブロック２１が配され、貯水槽には隅角ブロック１１および外周ブロック２１の各遮蔽外壁１８，１８，２９にて外周壁とした沈砂室Ａと残りの大型の調整室Ｃが形成される。そして沈砂室Ａには調整室Ｃへの流水を目的として流水口４３が形成される。
【００３４】
また図１１にて、その平面図を示す沈砂室Ａ、および既述せる調整室Ｃの一部を、さらに区画して利水室Ｂを設けた貯水槽にあって、前記図１０を用いて説明した沈砂室Ａの形成工事と同様、沈砂室Ａより大形の利水室Ｂにあっても、同室形成のための四隅のうち三隅部には隅角ブロック１１群が、残された沈砂室Ａと隣接する一隅部にあっては、遮蔽外壁２９が遮蔽壁として水の流出を阻止する既に設置ずみの外周ブロック２１を残し、これら四隅部に配された隅角ブロック１１と外周ブロック２１間には外周ブロック２１群が配されて、隅角ブロック１１の二面の遮蔽外壁１８，１８および外周ブロック２１の一面の遮蔽外壁２９にて外周壁とした利水室Ｂ用の囲枠が形成され、同室Ｂ内に中込ブロック１群が密に敷設、積み重ねられている。
【００３５】
図１２は、既述せる図１１に示す沈砂室Ａ、利水室Ｂおよび調整室Ｃの三室を貯水槽の下段Ｘ、中段Ｙの二段重ねブロック群にて形成し、さらに上段Ｚ部の全面を中込ブロック１群をもって埋め込んでなる第２の調整室Ｃ２となし、これにて下段Ｘおよび中段Ｙにて形成された既設の調整室Ｃを一段と拡張せしめた変形貯水槽の一つで、三種類のブロック群の配設場所を適宜変更せしめることにより、大規模な構成室の組換え変更を実現せしめることができる。
なお、下段Ｘ、中段Ｙおよび上段Ｚを便宜上、各層を一層の同一平面状のブロック群にて説明したが、この貯水槽が、例えば６層の深い貯水槽の場合、各段はそれぞれ複数層のブロック群にて構成されうることは勿論である。
【００３６】
既述した各種貯水槽にあって、各貯水槽の外側に独立して付設された、沈砂室Ａに外接して設けられた貯水導入ボックス３７および沈砂室Ａより長い距離を保って調整室Ｃに外接して設けられた貯水排出ボックス３８に対応してそれぞれ設けられた貯水槽の導水口４１および排水口４２、さらに沈砂室Ａと利水室Ｂ間あるいは利水室Ｂと調整室Ｃ間のごとく各室間に設けられた流水口４３部には、貯水槽を構成する中段または上段に位置するブロックの少なくともその一つを、開窓４数の多い中込ブロック１の一つを配することにより、各種流水口部の形成に即座に対応することができる。
【００３７】
なお図１２中、Ｚにて示す上段全部を調整室Ｃ２とした貯水槽にあっては、利水室Ｂおよび沈砂室Ａからの、下段および中段部に形成された、隣接する調整室Ｃ２への流水は利水室および沈砂室を区画形成した隅角ブロック１１、外周ブロック２１群からのオーバーフローにて実現する。
このように各室間における貯水の流れは、流水口４３により、あるいは各室の上縁よりのオーバーフローにより実行される。
【００３８】
以上は貯水槽内部をブロック群の入れ換えにより、一室あるいは多室のそれぞれ目的の異なる区画構成を説明したが、図１３に示す貯水槽は、槽内に導入した貯水を導水口４１より排水口４２へ流下せしめる過程にて、貯水の流路距離を延長せしめるために貯水を蛇行せしめ、この蛇行の過程にて貯水の浄化を促進せしめることを目的としたもので、その一手段として、貯水槽の下段Ｘ、中段Ｙにあって（図１３にては下段Ｘは中段Ｙと同一であるので図示省略）、槽の導水口４１寄りの内部に沈砂室Ａを、前記手段を用いて形成し、この沈砂室Ａを出発点として外周ブロック２１群および一部に隅角ブロック１１を用いて、主に外周ブロック２１の遮蔽外壁２９を障壁として活用しながら、一列状に配された外周ブロック２１群を入れ子状に列状に組立て、並列状の外周ブロック２１間には、中込ブロック１の突き合せ壁２と外周ブロックの突き合せ壁２３とを当接せしめ、あるいは外周ブロック２１の遮蔽外壁２９と中込ブロック１の突き合せ壁２とを当接せしめて蛇行流路Ｄが形成される。
【００３９】
この蛇行流路Ｄを形成するための外周ブロック２１は、槽の下段Ｘより上段Ｚにかけて全段に亘り積み重ねられ、前記沈砂室Ａ内に充満した流水は沈砂室Ａの障壁上をオーバーフローの状態にて、蛇行流路Ｄのスタート個所へと流出する。またこの蛇行流路Ｄの中途にて、少なくとも一個所の貯水の一層の浄化を目的として、透水性浄化材、例えば活性炭層Ｇをブロック群の連通空間部ｆに、あるいはこの空間部に加えて、該空間部に隣接するブロック間の空隙部ｅに介在せしめることにより、貯水の蛇行流路Ｄに沿っての流下の過程にて促進される浄化に加えて、より一段の浄化が実現される。
【００４０】
本発明に係る貯水槽を構成する三種類のブロックは一辺約１．２メートル、その重量は約１．４トンと大形であるため、各ブロックの設置作業の便宜を考え、各ブロックの天板部５，１５，２６に、重機のフックが係合するに適した吊下げ環５１群が植設されている。
前記各吊下げ環５１の直下位置にて、各ブロックにはその底板部６，１６，２７にかけて、ブロックの軸芯に向け伸びる切欠き貫穴５２が開口し、各切欠き貫穴内には、該切欠き貫穴５２と直交する形にて、端面逆Ｌ字形の連結用プレート５３が、その水平部分を切欠き貫穴５２の天井面に取付けボルト５４，５４を用いて固着されている。
前記吊下げ環５１はブロックの懸吊の役割と共に、組立てられたブロック群の上下および左右方向への動きを阻止する重要な役割を、切欠き貫穴５２内に固着されたプレート５３と共同して果たしている。
【００４１】
その詳細は、図１４および図１５をもってに示すように、下位に定置されたブロックの吊下げ環５１を上位に位置するブロックの切欠き貫穴５２内に、かつ切欠き貫穴５２内の連結用プレート５３を吊下げ環５１の外側に（ブロックの軸芯寄り側に）添設するよう位置せしめる。
【００４２】
以上と同一の作業は隣接する上下一対のブロックの積み重ね作業時にも実施され、同一平面上にて隣接する都合四個のブロックの接合面にて、連通する一対の切欠き貫穴５２，５２内にて、一対の吊下げ環５１，５１、その外側にそれぞれ連結用プレート５３，５３が位置し、同プレート５３の垂直板部に穿設された透孔５５内にワッシャー５６を介して連結用長ボルト５７が、各吊下げ環５１内を挿通し、ボルト端部でのナット５８締めにより、一対ずつの吊下げ環５１，５１、プレート５３，５３は連結用長ボルト５７を用いて連結固定され、これら一連の連結締め作業は積み重ねられた各ブロック間にて連通一致する切欠き穴部分毎に実施され、これにより平面上に大きい広がりを持ちつつ積み重ねられたブロック群同士は連結固定され、全体的安定性が助長される。
かくして組立てられた貯水槽の全外周面、槽内の各室の壁面などの各ブロック毎の接合縁には防水テープ、パテ材による防水処理が適宜施される。
【００４３】
【発明の効果】
貯水槽を構成する三種類の各ブロックはそれぞれの効果と共に、三種のブロック群の協力によって、綜合的効果を発揮している。
本発明の請求項１に係るブロック組立構造によれば、中込ブロックの角部に設けた周壁より小領域の幅を有する突き合せ壁を平面状にて隣接する中込ブロックの突き合せ壁と当接せしめ、中込ブロック群による組立構造を拡大せしめることにより、各中込ブロックの周囲には周壁の幅広に相当する間隔の四面からなる大形空隙部が相対的に形成され、貯水槽の最大目的たる貯水量を増大せしめることができることが、この発明の一つの特徴である。またこの大形空隙部の存在は該部への充填部材を省くことができ、この構造にて貯水槽のコスト安を実現することができる。
【００４４】
本発明の請求項２に係る中込ブロック組立構造によれば、隣接する中込ブロックの各突き合せ壁同士を当接してなる組立構造を、各ブロックの軸芯を一致せしめて積み重ねることにより、各ブロックの周囲には柱状大形空隙部が、さらにブロック内部も連通して同様の柱状空間部が、また各ブロックの周壁に開口した窓群の存在は、貯水の自由な流下と共に、該部にてもその貯水量の増大を助長し、また各ブロックを軸芯を一致せしめた積み重ねにて、上方からの負荷に対し、構造物自体は強靱なものとなり、ブロック群の安定性にも大きく寄与する。
【００４５】
また請求項３に係る単層構造の貯水槽のブロック組立構造によれば、隅角ブロックと外周ブロックにて囲枠を形成するに当り、それぞれの遮蔽外壁にて、囲枠の外周面を形成することができ、貯水槽の構成部材そのものにて、換言すれば別個の部材を改めて用いることなく外周壁を形成でき、構成材の多面的活用ができ、またこの囲枠内に中込ブロック群を埋め込むことにより、中込ブロック周囲の大形空隙部を、また隅角ブロックの内向き角壁および外周ブロックの突き合せ壁と中込ブロックとの組立、組み合せにて、各ブロック間にもやはり大形空隙部を形成せしめることができ、貯水槽の主要目的の一つたる貯水量の増大に大きく貢献している。
【００４６】
請求項４に係る基本貯水槽のブロック組立構造によれば、それぞれに遮蔽外壁を有する隅角および外周ブロックにて組立てられた囲枠と同枠内に埋め込まれた中込ブロック群から構成された単層構造物を各隅角ブロックの軸芯を一致せしめての積み重ねることからなる基本貯水槽は、隅角および外周両ブロックの遮蔽外壁を用いることにより、貯水槽の全外壁面が相対的に形成され、三種類のブロックの筒状形態および各ブロックに設けた窓の存在は、ブロックの周囲に形成される大形空隙部と共に、ブロック内の連通空隙部をも直接貯水量の増大に結び付けることができ、また各ブロックに設けた開窓群は貯水の円滑な流下に大きく貢献する。さらに、この単層構造物はブロック群の容易な選択による積み重ね量および囲枠の大きさの自由な変更により貯水槽の大きさの変更を自在なものとすることができる。
【００４７】
請求項５に係る多室構造の貯水槽のブロック組立構造によれば、貯水槽内部の中込ブロックに代えて、コーナー部に配する隅角ブロック、一対の隅角ブロック間に配する外周ブロックを置き換えることにより、調整室中心の基本貯水槽の一隅部に沈砂槽を形成することができ、貯水槽内に流入する貯水中に含まれる泥砂類は沈砂室内にて自然沈下して捕促され、泥砂類は貯水槽全体に拡散することがないので、爾後の貯水槽の清掃、保守が簡易なものとなる。
【００４８】
請求項６に係る多室構造の貯水槽のブロック組立構造によれば、貯水槽内を中込ブロックに代えての、隅角ブロックおよび外周ブロックのそれぞれの遮蔽外壁を用いての遮壁手段により、沈砂室、利水室、調整室と、それぞれ目的の異なる多室を簡単なブロック交換により達成することができる。
【００４９】
請求項７に係る多室構造の貯水槽のブロック組立構造によれば、多段積み重ね構造の貯水槽にあって、最上段にある単層構造体を、この最上段より下方に位置にする多段層にて形成された多室区分とは異なって最上段の構造体全体を一つの調整室とすることにより、多室構造の貯水槽を、さらに変化に富んだ貯水槽とすることができる。
【００５０】
請求項８に係るこの発明の地下貯水槽のブロック組立構造にあっては、貯水槽の一隅に前記沈砂室を配し、残された大形室を、外周ブロック群の遮蔽外壁を利用しつつ、一列状の外周ブロック群の入れ子状の組立により、形成された蛇行流路の存在は、槽内を流下する貯水の流路流域を拡大し、貯水中の混在物を沈下捕捉し、貯水の浄化は一段と促進される。
【００５１】
請求項９に係るこの発明の蛇行流路の一部に透水性浄化材層、例えば活性炭層などを介在せしめることにより、より一段の貯水の浄化が促進される。
【００５２】
請求項１０に係るこの発明の貯水槽の導水口および排水口、さらに区画形成された各室間の流水口は、多くの窓を開設した中込ブロックにて担当せしめることにより、流路の確保と共に、中込ブロックの各口部への配設は貯水槽全体の強靱性、耐久性を保つ上で有効であり、特に各口部の脆弱化の危惧もない。さらに口部形成のために特別の部材を要しないためコストの面でも有益である。
【００５３】
請求項１１に係るこの発明を構成する各種ブロックの組立て固定は、重機による重量ブロックの懸吊に有効に利用された各ブロックの天板部に植設された吊下げ環を再活用でき、各ブロックの底板部にかけて開設した切欠き貫穴内のプレート状部材と共に、この吊下げ環を上下左右に組立られたブロック群の固定着にと多面的に活用でき、大規模に組立られたブロック群の安定固着に大きく貢献できる。
【００５４】
請求項１２に係るこの発明の貯水槽のブロック組立構造にあっては、同槽は中込、隅角および外周ブロックの計三種類のブロックの組立にて構成され、かつ各ブロックは同形、同大の正四角柱体を出発点となし、同柱体の角部を縦方向に場所を換えて削ぎ落した形状の多角柱体にて構成されているため、各ブロックが占有する領域は同一であることを利用しての各ブロックの互換性により、貯水槽内を変化に富んだ各室の形成に、また貯流水のための口部形成にと、多面的に転用でき、貯水槽製作の簡易化に大きく貢献している。
【００５５】
請求項１３に係るこの発明の貯水槽のブロック組立構造にあっては、同槽を構成する三種類のブロックにあって、中込, 外周両ブロックの両突き合せ壁、隅角, 外周両ブロックの両面接壁、中込ブロックの周壁と隅角ブロックの内向き角壁および外周ブロックの内向き斜辺壁はそれぞれ同形、同大に形成されているので、各ブロック組立作業を円滑に遂行することができ、組立後にあっては各ブロック間での安定性の確保、完成貯水槽の堅牢性の維持に、各ブロック間での無駄のない整然とした大規模な空隙部の確保が可能となる。
【図面の簡単な説明】
【図１】本貯水槽の一部を構成する中込ブロックの斜視図である。
【図２】中込ブロックの中央横断面図である。
【図３】本貯水槽の一部を形成する隅角ブロックの斜視図である。
【図４】隅角ブロックの中央横断面図である。
【図５】本貯水槽の一部を構成する外周ブロックの斜視図である。
【図６】外周ブロックの中央横断面図である。
【図７】中央ブロックの組立構造を示す平面図である。
【図８】本貯水槽の単層構造を示す平面図である。
【図９】図８に示す単層構造体を積み重ねてなる地下貯水槽の正面図である。
【図１０】沈砂室と調整室とからなる地下貯水槽の平面図である。
【図１１】沈砂室、利水室および調整室からなる地下貯水槽の平面図である。
【図１２】Ｘで示す下段およびＹで示す中段部に沈砂室、利水室および調整室を、Ｚで示す上段全体を調整室とした貯水槽のうち、各段部を分解して示す各平面図である。
【図１３】Ｙで示す中段部に沈砂室と蛇行流路を、Ｚで示す上段部を全て蛇行流路にて形成してなる貯水槽のうち中段および上段部を分解して示す各平面図である。
【図１４】組立てられた四個のブロックの接続固定部を示す中央縦断面図である。
【図１５】図１４のＱ−Ｑ線切断面図である。
【符号の説明】
１  筒状中込ブロック
２，２３  突き合せ壁
３  周壁
４，１４，２５  窓
５，１５，２６  天板部
６，１６，２７  底板部
１１  筒状隅角ブロック
１２  内向き角壁
１３，２４  面接壁
１８，２９  遮蔽外壁
２１  筒状外周ブロック
２２  内向き斜辺壁
４１  導水口
４２  排水口
４３  流水口
５１  吊下げ環
５２  切欠き貫穴
５３  連結用プレート
５５  透孔
５７  連結用長ボルト
Ａ  沈砂室
Ｂ  利水室
Ｃ  調整室
Ｄ  蛇行流路
Ｇ  活性炭層
ｅ  空隙部
ｆ  連通空間部
Ｘ  下段層
Ｙ  中段層
Ｚ  上段層
【図１】
0003660652.tif 000002
【図２】
0003660652.tif 000003
【図３】
0003660652.tif 000004
【図４】
0003660652.tif 000005
【図５】
0003660652.tif 000006
【図６】
0003660652.tif 000007
【図７】
0003660652.tif 000008
【図８】
0003660652.tif 000009
【図９】
0003660652.tif 000010
【図１０】
0003660652.tif 000011
【図１１】
0003660652.tif 000012
【図１２】
0003660652.tif 000013
【図１３】
0003660652.tif 000014
【図１４】
0003660652.tif 000015
【図１５】
0003660652.tif 000016